(57)【要約】【課題】受信環境の悪化に伴い映像上に現れるブロックノイズを、ユーザに違和感を与えることなく、目立たないようにしたブロックノイズ軽減装置を提供する。【解決手段】受信映像信号Ｓｉｎをもとに映像劣化の度合いを検出する映像劣化度合い検出手段１１と、映像劣化度合い検出手段１１により検出された映像劣化度合いの程度に応じて、ブロックノイズ低減用フィルタ４のフィルタ係数を補正するフィルタ係数補正手段１２と、から構成する。【選択図】　　　図１
2004112202.tif 000002
【特許請求の範囲】
【請求項１】
復調後の受信映像信号を逆量子化すると共にその逆量子化信号を逆直交変換により復号映像信号に変換するビデオデコーダを備えるデジタルテレビ放送受信機において前記復号映像信号による表示映像上のブロック間に現れるブロックノイズを軽減するための方法であって、
前記受信映像信号をもとに映像劣化の度合いを検出する第１ステップと、
前記ビデオデコーダからの出力をブロック単位で平滑化するためのフィルタリング処理を行うステップであって、その平滑化の重み付けを、前記第１ステップにより検出された映像劣化度合いに応じて、制御する第２ステップと、
を有することを特徴とするデジタルテレビ放送受信機におけるブロックノイズ軽減方法。
【請求項２】
前記第２ステップにおいて、前記平滑化の重み付けを、前記映像表示上において、（ｉ）その水平方向に隣接する各ブロック対相互間および（ｉｉ）その垂直方向に隣接する各ブロック対相互間、のうちの少なくとも一方において、制御する請求項１に記載のブロックノイズ軽減方法。
【請求項３】
各前記ブロック対をなすそれぞれのブロックにおいて、該ブロックを構成するマトリクス配列された複数の画素に対する前記平滑化の重み付けのためのフィルタ係数を、（ｉ）そのブロックに隣接するブロックに近い画素程小さく設定し、（ｉｉ）該隣接するブロックから遠ざかる位置であってそのブロックの中央の位置に近い画素程大きく設定する請求項２に記載のブロックノイズ軽減方法。
【請求項４】
前記第１ステップは、前記受信映像信号のＣ／Ｎ比のレベル、該Ｃ／Ｎ比の変化量、前記受信映像信号に含まれるデータ誤りについての誤り検出数／誤り訂正数、および該誤り検出数／誤り訂正数の変化量の少なくとも１つを監視することにより、前記映像劣化の度合いを検出する請求項１に記載の映像劣化軽減方法。
【請求項５】
前記第１ステップにおいて、前記映像劣化の度合いを検出する判定基準を外部条件に応じて可変とし、該外部条件は、ユーザからの設定値、当該デジタルテレビ放送受信機を搭載する車両の走行速度、該車両の走行場所、およびユーザが受信中の放送チャンネルのうちの少なくとも１つの条件によって定める請求項１に記載のブロックノイズ軽減方法。
【請求項６】
復調後の受信映像信号を逆量子化すると共にその逆量子化信号を逆直交変換により復号映像信号に変換するビデオデコーダと、該ビデオデコーダからの出力をブロック単位で平滑化するためのフィルタリング処理を行うブロックノイズ低減用フィルタとを備えるデジタルテレビ放送受信機においてそのフィルタ後の出力映像信号による表示映像上のブロック間に現れるブロックノイズを軽減するためのブロックノイズ軽減装置であって、
前記受信映像信号をもとに映像劣化の度合いを検出する映像劣化度合い検出手段と、
前記映像劣化度合い検出手段により検出された映像劣化度合いに応じて、前記ブロックノイズ低減用フィルタのフィルタ係数を補正するフィルタ係数補正手段と、
からなることを特徴とするデジタルテレビ放送受信機におけるブロックノイズ軽減装置。
【請求項７】
前記ブロックノイズ補正手段は、前記平滑化の重み付けを、前記映像表示上において、（ｉ）その水平方向に隣接する各ブロック対相互間および（ｉｉ）その垂直方向に隣接する各ブロック対相互間、のうちの少なくとも一方について、補正する請求項６に記載のブロックノイズ軽減方法。
【請求項８】
前記フィルタ係数補正手段は、各前記ブロック対をなすそれぞれのブロックにおいて、該ブロックを構成するマトリクス配列された複数の画素に対する前記平滑化の重み付けのための前記フィルタ係数を複数種格納するフィルタ係数補正メモリからなり、該フィルタ係数補正メモリは、（ｉ）そのブロックに隣接するブロックに近い画素程小さいフィルタ係数を格納し、（ｉｉ）該隣接するブロックから遠ざかる位置であってそのブロックの中央の位置に近い画素程大きいフィルタ係数を格納して、前記映像劣化度合い検出手段からの検出出力に応じたフィルタ係数を出力する請求項６に記載のブロックノイズ軽減装置。
【請求項９】
前記映像劣化度合い検出手段は、前記デジタルテレビ放送受信機が有するチューナから得た前記受信映像信号のＣ／Ｎ比のレベルを監視して、前記映像劣化度合いを検出する請求項６に記載のブロックノイズ軽減装置。
【請求項１０】
前記受信映像信号のＣ／Ｎ比のレベルが時間的に変化する変化量を検出する変化量検出回路をさらに備え、該変化量検出回路の出力によって前記映像劣化度合いを検出する請求項９に記載のブロックノイズ軽減装置。
【請求項１１】
前記映像劣化度合い検出手段は、前記デジタルテレビ放送受信機が有する誤り訂正回路から得た、前記受信映像信号に含まれるデータ誤りについての誤り検出数／誤り訂正数を監視して、前記映像劣化度合いを検出する請求項６に記載のブロックノイズ軽減装置。
【請求項１２】
前記受信映像信号に含まれるデータ誤りについての誤り検出数／誤り訂正数が時間的に変化する変化量を検出する変化量検出回路をさらに備え、該変化量検出回路の出力によって前記映像劣化度合いを検出する請求項１１に記載のブロックノイズ軽減装置。
【請求項１３】
前記映像劣化度合い検出手段に連携するＣＰＵを備え、
ユーザからの設定情報、当該デジタルテレビ放送受信機を搭載する車両の走行速度情報、該車両の走行場所情報、およびユーザが受信中の放送チャンネル情報の少なくとも１つの情報を、外部条件として前記ＣＰＵに入力し、該ＣＰＵは、該外部条件に従って前記映像劣化度合いを検出する判定基準を可変に設定する請求項６に記載のブロックノイズ軽減装置。
【発明の詳細な説明】
【０００１】
【発明の属する技術分野】
本発明は、デジタルテレビ放送受信機に関し、さらに具体的には、そのデジタルテレビ放送受信機におけるブロックノイズ軽減方法および装置に関する。
【０００２】
【従来の技術】
デジタルテレビ放送は、アナログ放送に比べて周波数利用効率が高く、高品質化や多チャンネル化が可能となる。しかしその高品質化に着目すると、受信環境によってはその高品質化を十分に維持できない場合がある。例えば、当該受信機が、車載用のデジタルテレビ放送受信機であるような場合である。
【０００３】
車載用のデジタルテレビ放送受信機（以下、単に受信機とも称す）においては、その車両の移動に伴って受信環境は時々刻々変化し、当該受信機により再生される映像が劣化してしまうことがある。例えば、その車両がビルや山等の電波遮蔽／反射物体に接近したり、その走行速度が変化したりする等の場合、放送局からの受信電波は急峻に変動したりあるいは瞬断を生じることがある。このように車両の受信環境が悪化すると、受信機の表示映像品質は著しく劣化し、ユーザに不快感を与えてしまう。
【０００４】
この表示映像の劣化としては、映像の乱れやブロックノイズの発生などがある。このうち本発明は後者のブロックノイズに着目して、その軽減を図ることを要旨とするものである。ここにブロックノイズとは、１フレームの画像においてブロックとブロックとの境界近傍に現れる画像の歪みのことであり、表示映像を形成する８画素×８画素のブロック１つ１つが、個々に独立したブロックとして升目のようにくっきりと目立ってしまう。これはユーザに不快感を与える。
【０００５】
このような不快感をなくすために、従来技術として最も一般的な方法は、受信環境の悪化によってブロックノイズが生じたと判断したとき、即座に、前画面（直前の画面）フリーズとしたりあるいは予め用意したメッセージ画面等に置き換えて表示する、という方法であり、広く利用されている。
【０００６】
また下記特許文献に示すような、水平／垂直のフィルタリング処理による、ブロックノイズ軽減手法が提案されている。
【０００７】
【特許文献１】
特開平１０−２７６４３３号公報
【特許文献２】
特開平１０−２２４７９０号公報
【特許文献３】
特開２０００−１８８７５７
【特許文献４】
特開平８−２１４３０９号公報
【０００８】
【発明が解決しようとする課題】
しかしながら、映像劣化時とはいえ、上記従来技術のように、前画面フリーズとしたりあるいはメッセージ画面としたりすると、テレビ映像としての自然さが損なわれ、ユーザにとっては非常に違和感がある、という問題がある。
【０００９】
また上記各特許文献について見てみると、次のとおりである。
【００１０】
特許文献１（特開平１０−２７６４３３）は、方形状画像を検出して、本来の画像とブロックノイズを分離し、ノイズ部分のみフィルタリングするというものである。
【００１１】
しかし、移動体ＴＶ受信のように受信電界が悪化しやすい場合には、ランダムノイズとなり、上記の本来の画像とブロックノイズとの識別ができなくなり、フィルタリングしたり、しなかったりといった誤動作を生ずるという問題がある。
【００１２】
特許文献２（特開平１０−２２４７９０）は、ブロック境界でエッジかどうかを検出して、フィルタリングするというものである。
【００１３】
しかし、移動体ＴＶ受信のように受信電界が悪化しやすい場合には、ランダムノイズとなり、上記ブロック境界で正常に検出できなくなり、フィルタリングしたり、しなかったりといった誤動作を生ずるという問題がある。
【００１４】
特許文献３（特開２０００−１８８７５７）は、ブロック情報の発生情報を送信側で多重化して送信するというものである。したがって、受信処理に向けられた本発明とは異なる。
【００１５】
特許文献４（特開平８−２１４３０９）は、量子化パラメータおよび動き情報に応じて、フィルタ係数を制御するというものである。
【００１６】
しかし、移動体ＴＶ受信のように受信電界が悪化しやすい場合には、ランダムノイズとなり、上記量子化パラメータおよび動き情報が正常に検出できなくなり、誤動作するという問題がある。また本特許文献４は、受信環境に応じたフィルタ制御を行う本発明とは異なる。
【００１７】
したがって本発明は、受信環境悪化時にブロックノイズが生じた場合、ユーザに与える違和感を極力抑えて安定した映像を表示することのできる、デジタルテレビ放送受信機におけるブロックノイズ軽減方法および装置を提供することを目的とするものである。
【００１８】
【課題を解決するための手段】
図１は本発明に係るブロックノイズ軽減装置の基本構成を示す図である。
【００１９】
図１において、本発明に係るブロックノイズ軽減装置１０は、復調部２による復調後の受信映像信号Ｓｉｎを逆量子化すると共にその逆量子化信号を逆直交変換により復号映像信号Ｓｄｖに変換するビデオデコーダ３と、このビデオデコーダ３からの出力をブロック単位で平滑化するためのフィルタリング処理を行うブロックノイズ低減用フィルタ４とを備えるデジタルテレビ放送受信機１においてそのフィルタ後の出力映像信号Ｓｏｕｔによる表示映像上のブロック間に現れるブロックノイズを軽減するためのブロックノイズ軽減装置である。
【００２０】
このブロックノイズ軽減装置１０は、映像劣化度合い検出手段１１と、フィルタ係数補正手段１２とからなる。
【００２１】
映像劣化度合い検出手段１１は、受信映像信号Ｓｉｎをもとに映像劣化の度合いを検出するものである。
【００２２】
またフィルタ係数補正手段１２は、映像劣化度合い検出手段１１により検出された映像劣化度合いに応じて、ブロックノイズ低減用フィルタ４のフィルタ係数を補正するものである。
【００２３】
図１に示すブロックノイズ軽減装置１０の動作を方法ステップとして表現すると、図２のようになる。
【００２４】
図２は本発明に係るブロックノイズ軽減方法の基本ステップを示す図である。
【００２５】
本発明に係る方法は、復調部２による復調後の受信映像信号Ｓｉｎを逆量子化すると共にその逆量子化信号を逆直交変換により復号映像信号Ｓｄｖに変換するビデオデコーダ３を備えるデジタルテレビ放送受信機１において復号映像信号Ｓｄｖによる表示映像上のブロック間に現れるブロックノイズを軽減するための方法である。ここに、
第１ステップＳ１１では、受信映像信号Ｓｉｎをもとに映像劣化の度合いを検出する。
【００２６】
第２ステップＳ１２は、ビデオデコーダ３からの出力をブロック単位で平滑化するためのフィルタリング処理を行うステップであって、その平滑化の重み付けを、上記第１ステップＳ１１により検出された映像劣化度合いに応じて、制御する。
【００２７】
本発明は次の点に着眼して考案されたものである。すなわち、車載用受信機１のように受信環境が急激に変化する場合、表示画像上にブロックノイズが現れてからこれを軽減しようとしても手遅れであるから、ブロックノイズが発生する状況にあることを、ブロックノイズ低減用フィルタ４の前段で、映像劣化度合い検出手段１１により予測し、この予測のもとに当該ブロックノイズ発生の直前でこれを軽減してしまう、という着眼である。
【００２８】
かくして本発明によれば、受信機１の受信環境が悪化して本来ならブロックノイズが現れてしまうところ、上記の着眼によって、ユーザにとって違和感なくテレビ画像の自然さを保つことができる。
【００２９】
【発明の実施の形態】
まず初めに本発明が適用されるデジタルテレビ放送受信機１の具体例を説明する。
【００３０】
図３はデジタルテレビ放送受信機１の全体構成例を示す図であり、
図４は図３におけるブロック２０の内部を示す図である。なお全図を通じて、同様の構成要素には、同一の参照番号または記号を付して示す。
【００３１】
図３および図４はデジタルテレビ放送受信側の構成を示すものであるから、その説明の前に、他方の送信側（デジタルテレビ放送局）について簡単に触れておく。なお、以下の説明においては、前述した「直交変換」として、その代表をなす「ＤＣＴ変換」を例にとって述べる。
【００３２】
まずＤＣＴ変換部について説明する。画像を周波数で処理することを考えると、画像の中で周波数の高い成分とは、細かい図柄が多く明暗の差が大きい箇所であり、周波数の低い部分とは、大まかな図柄が占め明暗の差があまりない箇所を指す。一般に、画像の高周波成分が欠けていても、それほど画像品質の劣化を感じることはない。従って画像データを周波数成分に変換し、その高周波成分を省くことにより画像劣化を最小限に抑えながらデータ量を少なくすることができる。ＤＣＴ変換はＤＣＴブロックと呼ぶ８×８画素から構成されるブロック単位（２次元配列）で行い６４個のＤＣＴ変換係数を生成する。
【００３３】
次に量子化部について説明する。ＤＣＴ変換で生成されたＤＣＴ変換係数は量子化と呼ぶ手続きを経て精度を制限される。これはあらかじめ定められた量子化テーブルに用意された因数でＤＣＴ変換係数を割った整数値で丸められる。量子化テーブルの因数は空間周波数が高いほど大きくなり、実際に量子化を行うと量子化変換されたＤＣＴ係数は、その大部分が０になるようになっている。すなわちこの量子化の手続きにより、画像における冗長度が省略される。
【００３４】
さらにエントロピー符号化（ハフマン符号化）部について説明する。ハフマン符号化とは、発生確率の高いデータに対しては短い符号長の符号語を割り当てることによって平均符号長（データ量）を小さくしようとする可逆圧縮手法である。ＤＣＴ変換および量子化されたデータ列（２次元配列）は、その大部分が０となっている（発生確率が高い）。さらにハフマン符号前処理としてＤＣＴブロックをジグザグ変換（１次元配列）すると高能率圧縮が可能となる。
【００３５】
図３に戻ると、デジタルテレビ放送はアンテナＡＮＴにて受信され、復調部２（図１）に入力される。ここでまずチューナ４にて選局される。チューナ４から出力されたＱＰＳＫ等の変調受信信号は、デジタル復調回路５に入力され、ここでデジタル復調される。さらに次段の誤り訂正回路６にて、例えばリードソロモンによる誤り訂正が行われた後、スクランブル解除回路７において、有料放送受信等のために付与された所定のキーにより、デスクランブルされる。
【００３６】
圧縮のためＭＰＥＧ−ＳＹＳＴＥＭ規格により多重化された受信信号（受信データ）は、そのスクランブル解除回路７を経た後、データ多重分離回路８にて、ＭＰＥＧオーディオ信号とＭＰＥＧビデオ信号Ａとに分離され、前者の信号はＭＰＥＧオーディオデコーダ９にてベースバンドのオーディオ信号にデコードされてスピーカに印加される。後者の信号はＭＰＥＧビデオデコーダ２０（図１のビデオデコーダ３）にてベースバンドのビデオ信号Ｃ（Ｓｄｖ）にデコードされ、ブロックノイズ低減用フィルタ４を経てからディスプレイに印加される。このＭＰＥＧビデオデコーダ２０を図４に示す。
【００３７】
図４を参照すると、このＭＰＥＧビデオデコーダ２０は、図示する５つのブロックにて表されている。このうち、逆量子化器２３は図１に示すビデオデコーダ３内の「逆量子化」に相当し、逆ＤＣＴ変換器２５はそのビデオデコーダ３内の「逆直交変換」に相当する。
【００３８】
図３のＭＰＥＧビデオ信号Ａ、すなわち圧縮ビデオデコーダは、図４においてエントロピー復号化器２１に印加されて、量子化特性値を取り出すための指標である量子化インデックスに戻される。次に逆量子化器２３にて逆量子化され、さらに、別に復号化された送信側からのＤＣＴ係数と共に、逆ＤＣＴ変換器２５にて逆ＤＣＴ変換され、図３にも示すベースバンドのビデオ信号Ｃ（Ｓｄｖ）、すなわち復号ビデオデータとなる。この復号ビデオデータが、本発明が対象とするブロックノイズ低減フィルタ４に入力される。
【００３９】
上記のエントロピー復号化器２１および逆量子化器２３は、それぞれ第１テーブル２２および第２テーブル２４と連携して動作する。これらはＭＰＥＧビデオデコーダ２０における復号動作のために必要なテーブル情報であり、それぞれ、ハフマンテーブル（２２）および量子化テーブル（２４）である。これらは送信側から送られてくるものであり、圧縮ビデオデータＡの中から抽出される。
【００４０】
図３に戻るとここにおいて注目すべき情報はＢおよびＢ′である。ブロックノイズ軽減情報Ｂは映像劣化度合い検出回路２６（図１の１１に相当）より出力される。この情報Ｂは、フィルタ係数補正回路２７（図１の１２に相当）に印加されて、ここで、当該映像劣化度合いに応じたフィルタ係数補正情報Ｂ′になる。この情報Ｂ′がブロックノイズ低減用フィルタ４に印加され、その映像劣化度合いが大きく（または小さく）なるにつれて、フィルタ４でのフィルタ係数を小さく（または大きく）するように制御する。
【００４１】
これを図２に即して説明すると、その第２ステップＳ１２において、平滑化の重み付け（すなわちフィルタ係数）を、ディスプレイの映像表示上において、
（ｉ）その水平方向に隣接する各ブロック対相互間および
（ｉｉ）その垂直方向に隣接する各ブロック対相互間、のうちの少なくとも一方において、制御するようにする。
【００４２】
さらに好ましくは、その第２ステップＳ１２において、上述した各ブロック対をなすそれぞれのブロックにおいて、該ブロックを構成するマトリクス配列された複数の画素に対する平滑化の重み付けのためのフィルタ係数を、
（ｉ）そのブロックに隣接するブロックに近い画素程小さく設定し、
（ｉｉ）該隣接するブロックから遠ざかる位置であってそのブロックの中央の位置に近い画素程大きく設定する。
【００４３】
上述のような制御を指示するフィルタ係数補正情報Ｂ′を生成するための上記ブロックノイズ軽減情報（映像劣化度合い情報）Ｂは、図２において、その第１ステップＳ１１にて生成される。この第１ステップＳ１１では、種々の態様で当該映像劣化度合いを検出可能である。
【００４４】
第１の態様では、受信映像信号ＳｉｎのＣ／Ｎ比のレベル、該Ｃ／Ｎ比の変化量、その受信映像信号Ｓｉｎに含まれるデータ誤りについての誤り検出数／誤り訂正数、および該誤り検出数／誤り訂正数の変化量の少なくとも１つを監視することにより、映像劣化の度合いを検出する。
【００４５】
また第２の態様によれば、映像劣化の度合いを検出する判定基準を外部条件に応じて可変とし、この外部条件は、ユーザからの設定値、当該デジタルテレビ放送受信機１を搭載する車両の走行速度、その車両の走行場所、およびユーザが受信中の放送チャンネル、のうちの少なくとも１つの条件によって定める。
【００４６】
以下図を参照しながら、本発明に係るブロックノイズ軽減装置を説明する。
【００４７】
図５は本発明に係るブロックノイズ軽減装置１０をフィルタ４と共に示す図である。
【００４８】
ビデオデコーダ（図３の２０（３））からの復号ビデオデータＣ（Ｓｄｖ）は、隣接する２つのブロックデータＢＬｎおよびＢＬｎ−１として、ブロックノイズ低減用フィルタ４に取り込まれる。各ブロックをなす８×８の画素データａ１，ａ２〜ａ６４は、時系列的に、フィルタ４内に取り込まれ、ブロックＢＬｎ−１内の画素データａ１と、ブロックＢＬｎ内の画素データａ１と、今入力された画素データａ１とが、それぞれ掛算器３３，３２および３１に入力され、対応する重み付け（フィルタ係数Ｋ，Ｋ１）が加えられてから、加算器３４にて総和され、出力映像信号Ｓｏｕｔとしてディスプレイに与えられる。
【００４９】
同様にして、次の画素データａ２（ａ３，ａ４…）について出力映像信号Ｓｏｕｔを得る。これはディジタルフィルタ（４）による平均化処理である。なお、フィルタ係数ＫおよびＫ１の間にはＫ＋Ｋ１＋Ｋ１＝１．０の条件を満足する必要がある。発振を防止するためである。
【００５０】
このようなブロックノイズ低減用フィルタ４の掛算器（３１，３２，３３）に対し、それぞれのフィルタ係数をフィルタ係数補正回路２７（１２）からの上記情報Ｂ′によって補正すること、この補正が映像劣化度合い検出回路２６（１１）からの情報Ｂによって制御されること、が本発明の特徴である。例えばその映像劣化度合いが大きくなればなる程、フイルタ係数Ｋを小さくしていく。つまり、平滑化フィルタ（４）のカットオフ周波数を低くして、平均化率を上げる。このとき当然、Ｋ１も、上記のＫ＋Ｋ１＋Ｋ１＝１．０に従って、変更する。
図５に示した例では、水平方向に隣接する各ブロック対（ＢＬｎ，ＢＬｎ−１）相互について重み付けの調整を行っている。しかし同様の調整を、表示画像上の垂直方向に隣接する各ブロック対相互で行うようにしてもよい。さらには、水平方向の隣接ブロック対と垂直方向の隣接ブロック対の双方について、それぞれ重み付けの調整をしてもよい。
【００５１】
図６は図５（水平方向隣接ブロック対）の変形構成（垂直方向隣接ブロック対）を示す図である。
【００５２】
図５と比較すると、図６では垂直方向（図５では水平方向）に隣接する２つのブロック相互間で平均化処理する点が異なる。
【００５３】
図７は図５におけるフィルタ係数Ｋの好ましい設定の仕方を示す図である。
【００５４】
基本的な構成は図５の構成と全く同じであるが、フィルタ係数補正回路２７（１２）は、各ブロック内の画素データが占める位置に応じてさらにきめ細く、フィルタ係数Ｋの設定を変える。ただし、このためには、フィルタ係数を複数種格納するフィルタ係数補正メモリ（後述する図８の４１参照）を備えていることが実用上望ましい。これは、ブロックを構成するマトリクス配列された複数の画素に対する平滑化の重み付けのためのフィルタ係数を複数種格納する。
【００５５】
このフィルタ係数補正メモリは、
（ｉ）あるブロックに隣接するブロックに近い画素程小さいフィルタ係数を格納し、
（ｉｉ）その隣接するブロックから遠ざかる位置であってそのブロックの中央の位置に近い画素程大きいフィルタ係数を格納して、映像劣化度合い検出回路２６（１１）からの検出出力（Ｂ）に応じたフィルタ係数（Ｂ′）を出力するようにする。
【００５６】
例えば図７において、各ブロックの周辺画素データ〔ａ１，ａ３〜ａ３６およびａ２，ａ５〜ａ３７〕と〔ａ２９，ａ４３〜ａ６４およびａ２８，ａ３０〜ａ６３〕には共に小さいフィルタ係数Ｋを割り当て、一方、各ブロックの中央画素データ〔ａ７，ａ１４〜ａ５０およびａ１５，ａ１７〜ａ５８〕には大きいフィルタ係数Ｋを割り当てる。
【００５７】
このように異なるフィルタ係数Ｋを割り当てたのは、隣接するブロックの境界に近い程ブロック間歪みが目立つのでフィルタ係数Ｋを小さくし、目立たない中央部ではフィルタ係数Ｋを大きくしたままでよい、との考え方に基づく。
【００５８】
なお、このようにＫを異ならせることは、図６の場合にももちろん適用できる。この場合は、上段ブロックの〔ａ３６，ａ３７〜ａ６４〕と下段ブロックの〔ａ１，ａ２〜ａ２９〕の画素データならびにその近傍の画素データに小さいフィルタ係数Ｋを割り当てることになる。
【００５９】
図８は本発明に係る実施例１を示す図である。
【００６０】
本図において、フィルタ係数補正回路２７は、フィルタ係数を調整するための予め定めたフィルタ係数を複数種格納するフィルタ係数補正メモリ４１からなり、この補正メモリ４１からの対応するフィルタ係数の読出しを、前述した映像劣化度合い検出手段１１からの検出出力に従って行う。
【００６１】
この場合、その映像劣化度合い検出手段は図３の映像劣化度合い検出回路２６からなり、該回路２６は、デジタルテレビ放送受信機１が有するチューナ４から、信号線ｃを介して得た受信映像信号ＳｉｎのＣ／Ｎ比のレベルを監視して、前記映像劣化度合いを検出する。
【００６２】
上記Ｃ／Ｎ比のレベルはアナログ信号としてチューナ４より与えられるので、Ａ／Ｄ変換器４２にて例えば８ビットのデジタル信号に変換する。そしてこのデジタル信号のデジタル値をアドレスとして、補正メモリ４１よりそのＣ／Ｎ比のレベルに対応するフィルタ係数を読み出す。この読み出されたフィルタ係数が既述したブロックノイズ軽減情報Ｂとなる。
【００６３】
図９は本発明に係る実施例２を示す図である。
【００６４】
実施例２は、実施例１に対し変化量検出回路４５を付加した点でその実施例１とは異なる。
【００６５】
すなわち実施例２は、受信映像信号ＳｉｎのＣ／Ｎ比のレベルが時間的に変化する変化量を検出する変化量検出回路４５をさらに備え、この変化量検出回路４５の出力によって映像劣化度合いを検出する。
【００６６】
一般に受信環境が強電界下にあるときＣ／Ｎ比のレベルは安定しているが、ビルとか山での電波の反射があると、Ｃ／Ｎ比のレベルは急激に変動する。したがってこの変動の変化量を見つけて映像劣化を検出することができる。そのとき変化量が大きい程、映像劣化の度合いは大きくなる。
【００６７】
上記の変化量は、Ｃ／Ｎ比のレベルの時間的変化から検出できるので、絶対値回路（ＡＢＳ）５２を設け、１単位時間前のＣ／Ｎ比のレベルを遅延回路５１より得てこれを該回路５２の第１入力とし、今得られたＣ／Ｎ比のレベルをそのまま該回路５２の第２入力として、両入力間の差を該回路５２の出力より得て、その差の値を補正メモリ４１に対する読出しアドレスとする。なお、Ｃ／Ｎ比のレベルの変化は、急激に立下がるとき（−）と、再び急激に立上がるとき（＋）の両極性があるから、上記差は絶対値をとって表す。
【００６８】
図１０は本発明に係る実施例３を示す図である。
【００６９】
この実施例３は、実施例１および２がＣ／Ｎ比のレベルを検出パラメータとするのに対し、誤り検出数／誤り訂正数を検出パラメータとする。
【００７０】
すなわち、映像劣化度合い検出回路２６は、デジタルテレビ放送受信機１が有する誤り訂正回路６から信号線ｅを介して得た、受信映像信号Ｓｉｎに含まれるデータ誤りについての誤り検出数／誤り訂正数を監視して、映像劣化度合いを検出する。そして、その誤り検出数／誤り訂正数の値をもって、フィルタ係数補正メモリ４１をアクセスする。
【００７１】
図１１は本発明に係る実施例４を示す図である。
【００７２】
実施例４は、実施例２と同様の発想に基づくものである。
【００７３】
すなわち、受信映像信号Ｓｉｎに含まれるデータ誤りについての誤り検出数／誤り訂正数が時間的に変化する変化量を検出する変化量検出回路４５をさらに備え、この変化量検出回路４５の出力によって映像劣化度合いを検出する。該回路４５内の絶対値回路５２からの出力は、アドレスとして、補正メモリ４１に与えられ、前述の情報Ｂを得る。
【００７４】
図１２は本発明に係る実施例５を示す図である。
【００７５】
実施例５は主として映像劣化度合いの判定基準に関するものである。
【００７６】
本発明によれば、映像劣化度合いが大きくなるとフィルタ係数は小さくされる。このような状況では、ディスプレイ上のブロック映像はぼやけて見える。この場合、ユーザによっては、（ｉ）多少ブロックノイズはあっても映像のぼやけが少ない方を好み、逆に、（ｉｉ）映像のぼやけが大きくなってもブロックノイズがない方を好む。
【００７７】
そこで上記（ｉ）または（ｉｉ）のいずれを好むか、ユーザが決定できるようにすることが望ましい。つまり映像劣化度合いの判定基準を適宜設定できることが望ましい。
【００７８】
一方、映像劣化度合いは、車両の走行速度、走行場所、および放送チャンネルによっても変動する。したがってこれらの変動に応じて映像劣化度合いの判定基準を自動的に設定できるようにすることが望ましい。
【００７９】
上記の走行速度が高まると一般にフェージングピッチは短くなり、映像劣化頻度は大となるから、上記判定基準は厳しくするのがよい。
【００８０】
同様に、受信中の上記の放送チャンネルの周波数が高まると一般にフェージングピッチは短くなり、映像劣化頻度は大となるから、上記判定基準は厳しくするのがよい。
【００８１】
さらに車両の走行場所によっても映像劣化頻度は変化することが考えられるから、これもユーザが指定できるようにするとよい。例えばビル街を走るときと、広い平坦地を走るときでは、映像劣化頻度に大きく差がでる。
【００８２】
以上のことから、実施例５においては、ＣＰＵ６１を備え、ユーザからの設定情報、当該デジタルテレビ放送受信機１を搭載する車両の走行速度情報、その車両の走行場所情報、およびユーザが受信中の放送チャンネル情報、のうちの少なくとも１つの情報を、外部条件としてＣＰＵ６１に入力し、ＣＰＵ６１は、その外部条件に従って映像劣化度合いの判定基準を可変に設定するようにする。
【００８３】
以上を総合すると、フィルタ係数の補正パターンを複数種フィルタ係数補正メモリ４１内に予め格納しておき、ユーザがプリセットボタン６２を操作して、好みの補正パターンが選択できるようにしてもよい。
【００８４】
【発明の効果】
以上説明したように本発明によれば、従来のように、映像として不自然さを伴いユーザに違和感を与える前画面フリーズやメッセージ画面表示といった手法とは全く異なる手法により、受信環境の悪化時に現れるブロックノイズを、ユーザに違和感を与えることなく、目立たなくすることができる。
【図面の簡単な説明】
【図１】本発明に係るブロックノイズ軽減装置の基本構成を示す図である。
【図２】本発明に係るブロックノイズ軽減方法の基本ステップを示す図である。
【図３】デジタルテレビ放送受信機１の全体構成例を示す図である。
【図４】図３におけるブロック２０の内部を示す図である。
【図５】本発明に係るブロックノイズ軽減装置１０をフィルタ４と共に示す図である。
【図６】図５（水平方向隣接ブロック対）の変形構成（垂直方向隣接ブロック対）を示す図である。
【図７】図５におけるフィルタ係数Ｋの好ましい設定の仕方を示す図である。
【図８】本発明に係る実施例１を示す図である。
【図９】本発明に係る実施例２を示す図である。
【図１０】本発明に係る実施例３を示す図である。
【図１１】本発明に係る実施例４を示す図である。
【図１２】本発明に係る実施例５を示す図である。
【符号の説明】
１…デジタルテレビ放送受信機
２…復調部
３…ビデオデコーダ
４…ブロックノイズ低減用フィルタ
１０…ブロックノイズ軽減装置
１１…映像劣化度合い検出手段
１２…フィルタ係数補正手段
２０…ＭＰＥＧビデオデコーダ
２６…映像劣化度合い検出回路
２７…フィルタ係数補正回路
３１，３２，３３…掛算器
３４…加算器
４１…フィルタ係数補正メモリ
４５…変化量検出回路
６１…ＣＰＵ
【図１】
2004112202.tif 000003
【図２】
2004112202.tif 000004
【図３】
2004112202.tif 000005
【図４】
2004112202.tif 000006
【図５】
2004112202.tif 000007
【図６】
2004112202.tif 000008
【図７】
2004112202.tif 000009
【図８】
2004112202.tif 000010
【図９】
2004112202.tif 000011
【図１０】
2004112202.tif 000012
【図１１】
2004112202.tif 000013
【図１２】
2004112202.tif 000014